(57)【要約】【課題】構成が簡易で検出感度が良好な新規のセンサを用いたセンシング装置を提供する。【解決手段】半透過半反射性を有する第１の反射体１１と、透光体１２と、完全反射性又は半透過半反射性を有する第２の反射体１３とを順次備えてなるセンサ１０に対して、波長選択手段が組み込まれた発振波長安定化手段を備えた測定光照射手段２０により、センサ１０の第１の反射体１１側から測定光Ｌ１を入射させる。センサ１０の構成とセンサ１０に接触された試料１７により決まるセンサ１０の吸収特性に応じて変化する出射光Ｌ２の物理特性を出射光検出手段３０により検出する。【選択図】図１
2007101241.tif 000002
【特許請求の範囲】
【請求項１】
測定光が入射されると共に、該測定光が試料によって物理特性の異なる出射光となって出射され検出されるセンサと、
該センサに前記測定光を照射する測定光照射手段と、
前記出射光の物理特性を検出する検出手段とを備えてなるセンシング装置であり、
前記センサが、前記測定光の入射側から、半透過半反射性を有する第１の反射体と、透光体と、完全反射性又は半透過半反射性を有する第２の反射体とを順次備えてなり、
前記第１の反射体及び／又は前記第２の反射体が、前記試料に接触させられると共に該試料によって平均複素屈折率が変化するものであり、
前記第１の反射体の平均複素屈折率と前記第２の反射体の平均複素屈折率と前記透光体の平均複素屈折率及び厚みとに応じて特定波長の光を吸収する吸収特性を示し、前記第１の反射体及び／又は前記第２の反射体から前記吸収特性に応じて変化した前記出射光が出射されるものであり、
前記測定光照射手段が、波長選択手段が組み込まれた発振波長安定化手段を備えたレーザを用いたものであることを特徴とするセンシング装置。
【発明の詳細な説明】
【技術分野】
【０００１】
本発明は、測定光が入射されると共に測定光が試料によって物理特性の異なる出射光となって出射され検出されるセンサを用いたセンシング装置に関するものである。
【背景技術】
【０００２】
生体分子の分析等に使用されるセンサとして、表面プラズモン共鳴によって特定波長の反射光の光強度が減衰する現象を利用するセンサが提案されており、プリズム状の誘電体ブロックとその表面に形成され試料に接触させられる金属膜とを基本構成とする表面プラズモンセンサが開示されている（特許文献１等）。このセンサは、誘電体ブロックと金属膜との界面で全反射条件が得られ、表面プラズモン共鳴による全反射減衰が生じるようにセンサに測定光を照射し、上記界面で全反射した反射光の強度を測定して全反射減衰の状態を検出することで、試料の屈折率や濃度、試料の同定等を実施するものである。
【０００３】
上記表面プラズモンセンサではプリズム状の誘電体ブロックが必要であるため、高コストで、また構造上の制約が大きく小型化や多数試料の同時分析への対応が難しい。そこで、局在プラズモン共鳴によって特定波長の反射光の光強度が減衰する現象を利用するセンサが提案されており、基板の表面に局在プラズモン共鳴を効果的に起こす金属微細凹凸構造を有する局在プラズモンセンサが開示されている（特許文献２、非特許文献１等）。
【特許文献１】特開平０６−１６７４４３号公報
【特許文献２】特開２００４−２３２０２７号公報
【非特許文献１】Takayuki Okamoto and Ichirou Yamaguchi, “Local plasmon sensor with gold colloid monolayers deposited upon glass substrates”, OPTICS LETTERS, Vol.25, No.6, 2000年3月15日, p.372-374
【発明の開示】
【発明が解決しようとする課題】
【０００４】
上記局在プラズモンセンサでは、プリズム状の誘電体ブロックを必要としないため、表面プラズモンセンサに比して構成が簡易であり、安価で構造上の制約が少ない。しかしながら、局在プラズモンセンサでは、表面プラズモンセンサに比して検出感度が良好でなく高精度分析を行うことが難しい。
【０００５】
本発明はかかる事情に鑑みてなされたものであり、表面プラズモンセンサに比して構成が簡易でしかも検出感度が良好な新規のセンサを用いたセンシング装置を提供することを目的とするものである。
【課題を解決するための手段】
【０００６】
本発明によるセンシング装置は、測定光が入射されると共に、測定光が試料によって物理特性の異なる出射光となって出射され検出されるセンサと、センサに測定光を照射する測定光照射手段と、出射光の物理特性を検出する検出手段とを備えてなるセンシング装置であり、センサが、測定光の入射側から、半透過半反射性を有する第１の反射体と、透光体と、完全反射性又は半透過半反射性を有する第２の反射体とを順次備えてなり、第１の反射体及び／又は第２の反射体が、試料に接触させられると共に試料によって平均複素屈折率が変化するものであり、第１の反射体の平均複素屈折率と第２の反射体の平均複素屈折率と透光体の平均複素屈折率及び厚みとに応じて特定波長の光を吸収する吸収特性を示し、第１の反射体及び／又は第２の反射体から吸収特性に応じて変化した出射光が出射されるものであり、測定光照射手段が、波長選択手段が組み込まれた発振波長安定化手段を備えたレーザを用いたものであることを特徴とするものである。
【０００７】
本明細書において、「半透過半反射性」とは透過性と反射性を共に有することを意味し、透過率と反射率は任意である。
【０００８】
上記のセンサにおいては、試料に接触させられる第１の反射体及び／又は第２の反射体は、測定光の波長よりも小さい凹凸構造を有するものであることが好ましい。
【０００９】
本明細書において、「測定光の波長よりも小さい凹凸構造」とは、凸部及び凹部（ここで言う「凹部」には反射体を厚み方向に貫通する空隙も含まれる）の平均的な大きさ（ここで言う「大きさ」は最大幅を示す）と平均的なピッチが測定光の波長よりも小さいことを意味する。
【００１０】
上記センサの好適な態様としては、試料に接触させられる第１の反射体及び／又は第２の反射体が、透光体の表面に金属がパターン形成された金属層からなるものが挙げられる。
【００１１】
上記センサの他の好適な態様としては、試料に接触させられる第１の反射体及び／又は第２の反射体が、透光体の表面に複数の金属粒子が固着された金属層からなるものが挙げられる。
【００１２】
上記センサの他の好適な態様としては、第１の反射体が、試料に接触させられると共に試料によって平均複素屈折率が変化するものであり、透光体が、第１の反射体側の面において開口した測定光の波長よりも小さい径の複数の微細孔を有する透光性微細孔体からなり、第１の反射体が、透光体の表面形状に沿って複数の微細孔を有して形成された金属層からなるものが挙げられる。
【００１３】
上記の測定光照射手段に用いるレーザとしては、装置を小型軽量化する上で有利な半導体レーザを好適に用いることができる。そしてその場合、発振波長安定化手段としては、例えば半導体レーザから射出されたレーザビームの一部を半導体レーザにフィードバックさせる光学系と、このフィードバックされるレーザビームの波長を選択する回折格子（グレーティング）やバンドパスフィルタ等の波長選択手段とからなるものを用いることができる。
【００１４】
上記の波長選択手段を例えばバルクグレーティングから構成する場合は、上述の光フィードバックを行なう光学系を、半導体レーザから誘電体ブロックに向かうレーザビームの光路に配されてレーザビームの一部を分岐させる光分岐手段と、この光分岐手段で分岐されたレーザビームを逆向きの光路を辿るように反射させる反射型グレーティングとから構成し、この反射型グレーティングを波長選択手段として兼ねて用いることができる。
【００１５】
また、光フィードバックを行なう光学系および波長選択手段を、半導体レーザから誘電体ブロックに向かうレーザビームの光路に配されてレーザビームの一部を反射させる部分反射型グレーティングによって構成することも可能である。
【００１６】
さらに、光フィードバックを行なう光学系および波長選択手段を、半導体レーザから誘電体ブロックに向かうレーザビームとは反対方向に出射した後方出射光を反射させる反射型グレーティングによって構成することも可能である。
【００１７】
一方、上記の波長選択手段を例えば狭透過帯域バンドパスフィルタから構成する場合は、光フィードバックを行なう光学系を、半導体レーザから誘電体ブロックに向かうレーザビームの光路に配されてレーザビームの一部を分岐させる光分岐手段と、この光分岐手段で分岐されたレーザビームを逆向きの光路を辿るように反射させるミラーとから構成し、このミラーと半導体レーザとの間のレーザビームの光路に狭透過帯域バンドパスフィルタを配して用いることができる。
【００１８】
また、光フィードバックを行なう光学系を、半導体レーザから誘電体ブロックに向かうレーザビームの光路に配されてレーザビームの一部を反射させるハーフミラーから構成し、このハーフミラーと半導体レーザとの間のレーザビームの光路に狭透過帯域バンドパスフィルタを配して用いることもできる。
【００１９】
さらに、光フィードバックを行なう光学系を、半導体レーザから誘電体ブロックに向かうレーザビームとは反対方向に出射した後方出射光を反射させるミラーから構成し、このミラーと半導体レーザとの間のレーザビームの光路に狭透過帯域バンドパスフィルタを配して用いることもできる。
【００２０】
また上記波長選択手段としては、コアに複数の屈折率変化部が等間隔に形成された光ファイバーからなり、レーザビームを反射回折させるファイバーグレーティングを適用することも可能である。
【００２１】
このようなファイバーグレーティングを適用する場合、例えば光フィードバックを行なう光学系を、半導体レーザから誘電体ブロックに向かうレーザビームの光路に配されてレーザビームの一部を分岐させる光分岐手段と、この光分岐手段で分岐されたレーザビームを逆向きの光路を辿るように反射させるファイバーグレーティングとから構成し、このファイバーグレーティングを波長選択手段として兼ねて用いることができる。
【００２２】
また、上記の光フィードバックを行なう光学系および波長選択手段を、半導体レーザから誘電体ブロックに向かうレーザビームの光路に配されてレーザビームの一部を反射させる部分反射型ファイバーグレーティングによって構成することもできる。
【００２３】
さらに、光フィードバックを行なう光学系および波長選択手段を、半導体レーザから誘電体ブロックに向かうレーザビームとは反対方向に出射した後方出射光を反射させるファイバーグレーティングによって構成することもできる。
【００２４】
他方、上述のような光フィードバックは行なわないで発振波長を安定化することもできる。例えば、光ビームを発生させる光源として、ＤＦＢ（distributedfeedback：分布帰還型）レーザや、ＤＢＲ（distributed Bragg reflector ：分布ブラッグ反射型）レーザを用いることにより、発振波長を安定化することができる。
【００２５】
さらに、発振波長安定化手段は上述のものに限らず、その他、レーザの駆動電流や温度を電気的に精密に制御する手段等を用いることもできる。
【００２６】
上記の検出手段としては、出射光の光強度又は光強度の変化量、センサにより吸収される光の吸収波長又は吸収波長のシフトのうち少なくとも一つを検出するものが好ましい。
【発明の効果】
【００２７】
本発明のセンシング装置によれば、センサは、測定光の入射側から、半透過半反射性を有する第１の反射体と、透光体と、完全反射性又は半透過半反射性を有する第２の反射体とを順次備えたものであり、かかる構成では、第１の反射体を透過して透光体に入射した光が第１の反射体と第２の反射体との間で反射を繰り返して多重反射（共振）が効果的に起こり、多重反射光による多重干渉が効果的に起こる。多重干渉条件は第１の反射体の平均複素屈折率と第２の反射体の平均複素屈折率と透光体の平均複素屈折率及び厚みとに応じて変わるので、これらファクターに応じて特定波長の光を吸収する吸収特性を示し、第１の反射体及び／又は第２の反射体から吸収特性に応じた測定光と異なる物理特性の出射光が出射される。第１の反射体及び／又は第２の反射体が、試料に接触させられると共に試料によって平均複素屈折率が変化するものであり、試料によって多重干渉条件が変わり吸収特性が変わるので、吸収特性によって変化する出射光の物理特性を検出することで、試料の分析を行うことができるものである。
【００２８】
このセンサは透光体を２種類の反射体で挟んだデバイス構造を有しており、表面プラズモンセンサに比してはるかに構成が簡易であり、安価で構造上の制約が少ない。またこのセンサでは、多重干渉が効果的に起こり、特定波長の光に対して強い吸収が起こるので、局在プラズモンセンサに比して検出感度も高く、高精度分析を実施できる。
【００２９】
このようなセンサを用いて測定を行う場合、測定光の波長の変動に対して測定結果が敏感に変化し、それにより測定精度の低下を招くことが分かっているが、本発明においてはさらに測定光照射手段に波長選択手段が組み込まれた発振波長安定化手段を備えたレーザを用いることにより、測定光の波長の変動を抑制することができるため、十分に高い測定精度が実現される。
【発明を実施するための最良の形態】
【００３０】
以下、図面を参照して本発明の第１の実施の形態のセンシング装置の構成について説明する。図１は上記センシング装置の概略構成図、図２（ａ）は上記センシング装置のセンサの斜視図、図２（ｂ）は厚み方向断面図（Ａ−Ａ’断面図）、図２（ｃ）は出射光のスペクトル例、図３は上記センシング装置の測定光照射手段の概略構成図である。
【００３１】
センシング装置１は、測定光Ｌ１が入射されると共に、測定光Ｌ１が試料１７によって物理特性の異なる出射光Ｌ２となって出射され検出されるセンサ１０と、センサ１０および試料１７を収容する試料セル１５と、センサ１０に測定光Ｌ１を照射する測定光照射手段２０と、出射光Ｌ２の物理特性を検出する出射光検出手段３０と、出射光検出手段３０により検出された信号に基づいて試料１７の分析を行うデータ処理手段４０とから構成されている。
【００３２】
最初にセンサ１０について説明する。図２（ａ）に示す如く、本実施の形態のセンサ１０は、測定光Ｌ１の入射側（図示上側）から、半透過半反射性を有する第１の反射体１１と、透光体１２と、完全反射性を有する第２の反射体１３とを順次備えたデバイス構造を有する。
【００３３】
透光体１２は透光性平坦基板からなり、第１の反射体１１は透光体１２の一方の面に金属細線１１ａが規則的な格子状パターンで形成された金属層からなり、第２の反射体１３は透光体１２の他方の面に形成されたベタ金属層からなる。
【００３４】
透光体１２の材質は特に制限なく、ガラスやアルミナ等の透光性セラミック、アクリル樹脂やカーボネート樹脂等の透光性樹脂等が挙げられる。
【００３５】
第１の反射体１１及び第２の反射体１３の材質としては、任意の反射性金属を使用でき、Ａｕ、Ａｇ、Ｃｕ、Ａｌ、Ｐｔ、Ｎｉ、Ｔｉ、及びこれらの合金等が挙げられる。第１の反射体１１及び第２の反射体１３はこれら反射性金属を２種以上含むものであってもよい。
【００３６】
ベタ金属層である第２の反射体１３は、例えば金属蒸着等により成膜できる。第１の反射体１１は例えば、金属蒸着等によりベタ金属層を成膜した後、公知のフォトリソグラフィー加工を実施することで形成できる。
【００３７】
第１の反射体１１は反射性金属からなるが、空隙であるパターン間隙１１ｂを複数有しているので光透過性を有し、半透過半反射性を有する。第１の反射体１１の金属細線１１ａの線幅及びピッチは測定光Ｌ１の波長よりも小さく設計されており、第１の反射体１１は測定光Ｌ１の波長よりも小さい凹凸構造を有するものとなっている。かかる測定光Ｌ１の波長よりも小さい凹凸構造の第１の反射体１１は、いわゆる電磁メッシュシールド効果により光に対しては半透過半反射性の薄膜として作用する。
【００３８】
本実施の形態のセンサ１０では、第１の反射体１１及び第２の反射体１３が、接触した試料によって平均複素屈折率が変わるセンシング体であり、第１の反射体１１及び／又は第２の反射体１３に試料を接触させて試料の分析を行うことができる。
【００３９】
特に、第１の反射体１１は、金属細線１１ａとパターン間隙１１ｂとの測定光Ｌ１の波長よりも小さい凹凸構造を有しているので、第１の反射体１１の試料による平均複素屈折率の変化がより高い感度で起こる。これは、第１の反射体１１の凹凸構造によって測定光Ｌ１の振動等が効果的に起こることなどによると考えられる。したがって、少なくとも第１の反射体１１側に試料を接触させて試料の分析を行うことが好ましい。
【００４０】
金属細線１１ａのピッチは測定光Ｌ１の波長よりも小さい条件を充足すれば特に制限なく、測定光Ｌ１として可視光を用いる場合には例えば２００ｎｍ以下が好ましい。金属細線１１ａのピッチは小さい方が感度の点で好ましい。
【００４１】
金属細線１１ａの線幅は特に制限なく、感度の点で小さい方が好ましい。金属細線１１ａの線幅は光によって金属中で振動する電子の平均自由行程以下であることが好ましく、具体的には５０ｎｍ以下、特に３０ｎｍ以下であることが好ましい。
【００４２】
金属細線１１ａのピッチ及び線幅が小さい方が、１本の金属細線１１ａに占める表面の割合が相対的に大きくなるため、金属細線１１ａの表面特性が第１の反射体１１の全体特性に反映されやすくなり、より高い感度が得られる。具体的には、金属細線１１ａのピッチ及び線幅が小さい方が、試料の相違による第１の反射体１１の誘電率変化がより大きくなり、試料の相違による第１の反射体１１の平均複素屈折率（実効複素屈折率）の変化がより大きくなり、より高い感度が得られる。
【００４３】
図２（ｂ）に示す如く、センサ１０に測定光Ｌ１が入射すると、第１の反射体１１の透過率と反射率に応じて、一部は第１の反射体１１の表面で反射され（図示略）、一部は第１の反射体１１を透過して透光体１２に入射する。透光体１２に入射した光は、第１の反射体１１と第２の反射体１３との間で反射を繰り返す。すなわち、センサ１０は、第１の反射体１１と第２の反射体１３との間で多重反射が起こる共振構造を有している。
【００４４】
かかるデバイスでは、多重反射光による多重干渉が起こり、特定波長の光が選択的に吸収される吸収特性を示す。多重干渉条件は第１の反射体１１の平均複素屈折率と第２の反射体１３の平均複素屈折率と透光体１２の平均複素屈折率及び厚みとに応じて変わるので、これらファクターに応じて特定波長の光を吸収する吸収特性を示す。そして、吸収特性に応じた測定光Ｌ１と異なる物理特性の出射光Ｌ２が出射される。本実施の形態のセンサ１０は、第２の反射体１３が完全反射性を有するので、出射光Ｌ２が第１の反射体１１からのみ出射される反射型センサである。
【００４５】
第１の反射体１１の平均複素屈折率をｎ１−ｉｋ１、透光体１２の平均複素屈折率をｎ２、第２の反射体１３の平均複素屈折率をｎ３−ｉｋ３、透光体１２の厚みをｄとする（−ｉｋ１、−ｉｋ３は虚数部を示す。本実施の形態では、透光体１２の平均複素屈折率の虚数部は０である。）。第１の反射体１１で反射されたときの位相ずれφ１、第２の反射体１３で反射されたときの位相ずれφ２は、各々下記式で表される。  
φ１＝ｔａｎ−１［２ｎ２ｋ１／（ｎ２２−ｎ１２−ｋ１２）］
φ２＝ｔａｎ−１［２ｎ２ｋ３／（ｎ２２−ｎ３２−ｋ３２）］
多重干渉により吸収される光のピーク波長λは、下記式で表される。  
λ＝４πｎ２ｄ／（２π−φ１−φ２）
【００４６】
特に、第１の反射体１１、透光体１２、第２の反射体１３のうち少なくとも１つを複素誘電率の虚数部が０でない光吸収体により構成すると、吸収ピークがシャープになり、特定波長の光に対して強い吸収を示すものとなる。本実施の形態では、金属層である第１の反射体１１及び第２の反射体１３が虚数部が０でない光吸収体である。
【００４７】
透光体１２の厚みｄは制限なく、多重干渉による可視光波長領域の吸収ピーク波長が１つとなり検出が容易なことから３００ｎｍ以下が好ましく、多重反射が効果的に起こりかつ多重干渉による吸収ピーク波長が可視光域で検出が容易なことから１００ｎｍ以上が好ましい。
【００４８】
センサ１０では、透光体１２内における多重反射回数（フィネス）が最大となるよう、光インピーダンスマッチングを取ったデバイス構造とすることが好ましい。かかる構成とすることで、吸収ピークがシャープになり、より高精度な分析を実施でき、好ましい。
【００４９】
第１の反射体１１及び／又は第２の反射体１３（好ましくは第１の反射体１１）に試料を接触させると、反射体と試料との相互作用等によって試料が接触した反射体の平均複素屈折率（実効複素屈折率）が変わり、多重干渉条件が変わる。すなわち、試料によって多重干渉による吸収特性が変わる。
【００５０】
測定光Ｌ１として白色光を照射し、第１の反射体１１に異なる試料Ａ、Ｂを接触させたときの反射光スペクトル例（出射光スペクトル例）を図２（ｃ）に示す。図２（ｃ）には、試料を変えることで、吸収ピーク波長λがλ１からλ２に変化する様子が示されている。
【００５１】
センサ１０では、吸収特性によって変化する出射光Ｌ２の物理特性を検出することで、試料の分析を行うことができる。吸収特性によって変化する出射光Ｌ２の物理特性としては、出射光Ｌ２の光強度又は光強度の変化量、センサ１０により吸収される光の吸収波長又は吸収波長のシフト等が挙げられる。具体的なセンシング装置の構成例については後記する。
【００５２】
上記センサ１０では、試料の屈折率及び／又は濃度を分析することができ、試料の屈折率を分析して試料を同定することもできる。また、試料を接触させる反射体（第１の反射体１１及び／又は第２の反射体１３）に特定物質と特異的に結合する結合物質を固定してから試料を接触させ、センサ１０に対して測定光Ｌ１を照射し出射光Ｌ２を検出することで、試料に含まれる特定物質の有無及び／又は特定物質の量を分析することもできる。特定物質／結合物質の組合せとしては抗原／抗体（いずれを結合物質としてもよい）等が挙げられ、本実施の形態では抗原抗体反応等の経時的な分析も可能である。
【００５３】
本実施の形態のセンサ１０は以上のように構成されている。
【００５４】
本実施の形態のセンサ１０は、測定光Ｌ１の入射側から、半透過半反射性を有する第１の反射体１１と透光体１２と完全反射性を有する第２の反射体１３とを順次備えたものである。
【００５５】
かかる構成では、第１の反射体１１を透過して透光体１２に入射した光が第１の反射体１１と第２の反射体１３との間で反射を繰り返して多重反射（共振）が効果的に起こり、多重反射光による多重干渉が効果的に起こる。本実施の形態のセンサ１０において、多重干渉条件は第１の反射体１１の平均複素屈折率と第２の反射体１３の平均複素屈折率と透光体１２の平均複素屈折率及び厚みとに応じて変わるので、これらファクターに応じて特定波長の光を吸収する吸収特性を示し、第１の反射体１１から吸収特性に応じた測定光Ｌ１と異なる物理特性の出射光Ｌ２が出射される。
【００５６】
本実施の形態のセンサ１０においては、第１の反射体１１及び／又は第２の反射体１３が、試料に接触させられると共に試料によって平均複素屈折率が変化するものである。かかる構成では、試料によって多重干渉条件が変わり吸収特性が変わるので、吸収特性によって変化する出射光Ｌ１の物理特性を検出することで、試料の分析を行うことができる。
【００５７】
本実施の形態のセンサ１０は透光体１２を２種類の反射体１１、１３で挟んだデバイス構造を有しており、表面プラズモンセンサに比してはるかに構成が簡易であり、安価で構造上の制約が少ない。
【００５８】
本実施の形態のセンサ１０では、多重干渉が効果的に起こり、特定波長の光に対して強い吸収が起こるので、局在プラズモンセンサに比して検出感度も高く、高精度分析を実施できる。
【００５９】
本実施の形態のセンサ１０ではさらに、第１の反射体１１と第２の反射体１３が自由電子を有する金属からなるので、第１の反射体１１と第２の反射体１３の表面で局在プラズモン共鳴を起こすことができる。
【００６０】
局在プラズモン共鳴は、金属の自由電子が光の電場に共鳴して振動することで電場を生じる現象である。特に凹凸構造を有する金属層では、凸部の自由電子が光の電場に共鳴して振動することで凸部周辺に強い電場を生じ、局在プラズモン共鳴が効果的に起こるとされている。本実施の形態では、第１の反射体１１が測定光Ｌ１の波長より小さい凹凸構造を有するので、局在プラズモン共鳴が効果的に起こる。
【００６１】
局在プラズモン共鳴が生じる波長については、測定光Ｌ１の散乱や吸収が著しく増大し、この特定波長については反射光の強度が著しく低くなる。この局在プラズモン共鳴が生じる光波長（共鳴ピーク波長）、及び測定光Ｌ１の散乱や吸収の程度は、センサ１０の表面にある試料の屈折率等に依存する。
【００６２】
通常、多重干渉による吸収ピークと局在プラズモン共鳴による吸収ピークとは異なる波長に現れるので、本実施の形態のセンサ１０では、多重干渉現象と局在プラズモン共鳴現象による物理変化を各々検出することで、より高精度な分析を実施することも可能である。図２（ｃ）では局在プラズモン共鳴による吸収ピークを省略してある。なお、多重干渉による吸収ピークと局在プラズモン共鳴による吸収ピークは重なる場合もある。
【００６３】
第１の反射体１１及び第２の反射体１３の材質としては、上記の如く、局在プラズモン共鳴によるセンシングも実施できることから金属が好ましいが、金属以外の反射性材料を用いてもよい。
【００６４】
本実施の形態では、第１の反射体１１が規則的な格子状パターンの場合について説明したが、第１の反射体１１のパターン形状は任意であり、ランダムパターンでもよい。ただし、構造規則性が高い方が共振構造の面内均一性が高く、特性が集約されるので、感度等の点で好ましい。
【００６５】
試料セル１５は、センサ１０および試料１７を収容するものであり、上記センサ１０の第１の反射体１１及び第２の反射体１３が試料セ試料１７に接触するよう、センサ１０が試料セル１５内に固定されたものである（固定構造については図示略）。センサ１０は、試料セル１５に対して完全固定でも着脱自在でもよい。
【００６６】
試料セル１５は、試料１７が充填可能な金属等の非透光性材料からなるセル本体を主とし、測定光Ｌ１および出射光Ｌ２に対して透過性を有する透光性窓１６がセル本体に嵌め込まれたものである。透光性窓１６はセンサ１０の第１の反射体１１の対向部分に嵌め込まれている。
【００６７】
測定光照射手段２０は、測定光としての光ビームＬ１を照射する半導体レーザ１００と、光ビームＬ１を平行光化するコリメーターレンズ１２０と、発振波長安定化手段１３０とから構成されている。
【００６８】
発振波長安定化手段１３０について説明する。この発振波長安定化手段１３０は、光ビームＬ１の偏光を制御するλ／２板１３１と、このλ／２板１３１を通過した光ビームＬ１を一部反射、分岐させるビームスプリッタ１３２と、分岐された光ビームＬ１Ｒが入射する位置に配された反射型グレーティング（回折格子）１３３とから構成されている。
【００６９】
分岐されて反射型グレーティング１３３に入射した光ビームＬ１Ｒは、このグレーティング１３３において極めてスペクトルが狭い状態に波長選択されて、入射光路を逆向きに辿るように反射する。この光ビームＬ１Ｒはビームスプリッタ１３２およびλ／２板１３１を介して半導体レーザ１００にフィードバックされる。このようにして、半導体レーザ１００の後方端面と反射型グレーティング１３３とで外部共振器が構成される形となり、半導体レーザ１００の発振波長は反射型グレーティング１３３の選択波長にロックされる。
【００７０】
以上のようにして半導体レーザ１００の発振波長が安定化すると、発振波長変動により測定信号にノイズが発生することが防止され、試料分析に関して高い測定精度が実現される。
【００７１】
出射光検出手段３０は、出射光Ｌ２の光強度を検出するフォトダイオードにより構成されている。
【００７２】
上記センシング装置１においては、測定光照射手段２０および出射光検出手段３０には必要に応じてコリメーターレンズ及び／又は集光レンズ等を含む導光光学系が備えられる。
【００７３】
上記のように構成されたセンシング装置１は、測定光照射手段２０によってセンサ１０に測定光Ｌ１として単波長光を照射し、出射光検出手段３０によって出射光Ｌ２である反射光の光強度を検出して、試料の分析を行うものである。測定光Ｌ１の波長は任意である。図２（ｃ）には、任意のある波長に着目したとき、試料によって波長の光強度が変わることが示されている。換言すれば、図２（ｃ）には、任意の波長の測定光Ｌ１について出射光Ｌ２の光強度を検出することで、試料の分析を実施できることが示されている。
【００７４】
センシング装置１では、試料の屈折率及び／又は濃度を分析することができ、試料の屈折率を分析して試料を同定することもできる。
【００７５】
また、センサ１０の試料の接触側に特定物質と特異的に結合する結合物質を固定してから試料を接触させ、センサ１０に対して測定光Ｌ１を照射し出射光Ｌ２を検出することで、試料に含まれる特定物質の有無及び／又は特定物質の量を分析することもできる。なお、この様にして測定を行った場合、特表平１１−５１２５１８号公報、特表２００２−５１７７２０号公報、もしくは特表２００３−５２７６０６号公報等に記載されている方法により、試料中の特定物質とセンサ１０に固定した結合物質とを分離することによって、センサ１０を再利用することが可能である。
【００７６】
なお、上記のような反射型のセンサ１０を用いたセンシング装置１では、出射光検出手段３０は、第１の反射体１１から出射された出射光Ｌ２の散乱光等の非正反射成分のみを受光して出射光Ｌ２の検出を行う構成とすることが好ましい。正反射成分は光強度が強すぎて本来検出したい特性が良好に検出されない恐れがあるが、散乱光等の微弱な光を検出することで、より高精度な分析を実施することができる。また、同様の理由から、測定光照射手段２０はセンサ１０の光入射面に対して非垂直方向から測定光Ｌ１を照射する位置に配置されていることが好ましい。
【００７７】
また、本実施の形態において試料セル１５の構成は上記に限るものではなく、第１の反射体１１から出射光Ｌ２が出射される反射型センサ又は半透過半反射型センサでは、第２の反射体１３のみが試料セル１５内の試料１７に接触するように試料セル１５を構成する等、種々の態様とすることができる。
【００７８】
次に、図４を参照して本発明の第２の実施の形態について説明する。なおこれ以降に説明する実施の形態の装置は全て、図１および図３に示したセンシング装置と比べると、基本的に発振波長安定化手段のみが異なるものであり、その他は同様に構成されている。また図４において、図３中のものと同等の要素については同番号を付し、それらについての説明は特に必要の無い限り省略する（以下、同様）。
【００７９】
この第２の実施の形態の装置の発振波長安定化手段１３０Ａは、光フィードバックを行なう光学系および波長選択手段を兼ねる部分反射型グレーティング１３４によって構成されている。この部分反射型グレーティング１３４は、半導体レーザ１００からセンサ１０に向かう光ビームＬ１の光路に配されて、光ビームＬ１の一部を反射させる。
【００８０】
この反射した光ビームＬ１は半導体レーザ１００にフィードバックされ、それにより半導体レーザ１００の発振波長は、部分反射型グレーティング１３４の選択波長にロックされる。
【００８１】
次に、図５を参照して本発明の第３の実施の形態について説明する。この第３の実施の形態の装置の発振波長安定化手段１３０Ｂは、反射型グレーティング１３３およびコリメーターレンズ１３５によって構成されている。
【００８２】
反射型グレーティング１３３は、コリメーターレンズ１３５とともに光フィードバックを行なう光学系を構成する一方、波長選択手段も兼ねている。すなわち、半導体レーザ１００からセンサ１０とは反対方向に出射した後方出射光Ｌ１Ｑは、コリメーターレンズ１３５によって平行光化された後、反射型グレーティング１３３に入射する。
【００８３】
この反射型グレーティング１３３で反射した後方出射光Ｌ１Ｑは半導体レーザ１００にフィードバックされ、それにより半導体レーザ１００の発振波長が、反射型グレーティング１３３の選択波長にロックされる。
【００８４】
次に、図６を参照して本発明の第４の実施の形態について説明する。この第４の実施の形態の装置の発振波長安定化手段１４０は、ビームスプリッタ１３２により分岐された光ビームＬ１Ｒが入射する位置に配された狭透過帯域バンドパスフィルタ１４１と、そこを透過した光ビームＬ１Ｒを集光する集光レンズ１４２と、この集光レンズ１４２による光ビームＬ１Ｒの収束位置に配設されたミラー１４３とで構成されている。
【００８５】
光ビームＬ１Ｒは上記狭透過帯域バンドパスフィルタ１４１により、極めてスペクトルが狭い状態に波長選択された後、ミラー１４３で反射して入射光路を逆向きに辿る。この光ビームＬ１Ｒはビームスプリッタ１３２およびλ／２板１３１を介して半導体レーザ１００にフィードバックされる。それにより、半導体レーザ１００の発振波長が狭透過帯域バンドパスフィルタ１４１の選択波長にロックされ、この場合も高い測定精度が実現される。
【００８６】
なお、上記ビームスプリッタ１３２の代わりに、ハーフミラーを用いることも可能である。
【００８７】
次に、図７を参照して本発明の第５の実施の形態について説明する。この第５の実施の形態の装置の発振波長安定化手段１４０Ａは、半導体レーザ１００からセンサ１０に向かう光ビーム（レーザビーム）Ｌ１の光路に順次配された狭透過帯域バンドパスフィルタ１４１、集光レンズ１４４、ハーフミラー１４５およびコリメーターレンズ１４６から構成されている。
【００８８】
集光レンズ１４４およびハーフミラー１４５は光フィードバックを行なう光学系を構成している。つまり光ビームＬ１の一部は、集光レンズ１４４による収束位置に配されたハーフミラー１４５で反射して、半導体レーザ１００にフィードバックされる。
【００８９】
その際光ビームＬ１は、狭透過帯域バンドパスフィルタ１４１により波長選択されて半導体レーザ１００にフィードバックされる。それにより、半導体レーザ１００の発振波長が狭透過帯域バンドパスフィルタ１４１の選択波長にロックされ、この場合も高い測定精度が実現される。
【００９０】
次に、図８を参照して本発明の第６の実施の形態について説明する。この第６の実施の形態の装置の発振波長安定化手段１４０Ｂは、半導体レーザ１００から出射する後方出射光Ｌ１Ｑを平行光化するコリメーターレンズ１４７と、コリメーターレンズ１４７を通過した後の後方出射光Ｌ１Ｑの光路に配された狭透過帯域バンドパスフィルタ１４１と、そこを透過した後方出射光Ｌ１Ｑを集光する集光レンズ１４２と、この集光レンズ１４２による後方出射光Ｌ１Ｑの収束位置に配設されたミラー１４３とで構成されている。
【００９１】
上記集光レンズ１４２およびミラー１４３は、光フィードバックを行なう光学系を構成し、狭透過帯域バンドパスフィルタ１４１は波長選択手段を構成している。すなわち、後方出射光Ｌ１Ｑは上記狭透過帯域バンドパスフィルタ１４１により波長選択され、ミラー１４３で反射して入射光路を逆向きに辿り、半導体レーザ１００にフィードバックされる。それによりこの場合も、半導体レーザ１００の発振波長が狭透過帯域バンドパスフィルタ１４１の選択波長にロックされる。
【００９２】
次に、図９を参照して本発明の第７の実施の形態について説明する。この第７の実施の形態の装置の発振波長安定化手段１５０は、半導体レーザ１００から出射した光ビームＬ１を一部反射、分岐させるビームスプリッタ１５１と、分岐された光ビームＬ１Ｒを反射させるミラー１５２と、そこで反射した光ビームＬ１Ｒを集光する集光レンズ１５３と、この集光レンズ１５３による光ビームＬ１Ｒの収束位置に一端面が位置するように配された反射型ファイバーグレーティング１５４とから構成されている。
【００９３】
反射型ファイバーグレーティング１５４は、クラッド内にそれよりも高屈折率のコアが埋め込まれてなり、そしてコアには複数の屈折率変化部が等間隔に形成された光ファイバーである。この反射型ファイバーグレーティング１５４は、一例としてクラッド外径が１２５μｍ、コア径が約１０μｍの光通信用光ファイバーのコアに、紫外域のエキシマレーザ光を用いて二光束干渉露光により干渉縞を形成させ、コアの光が照射された部分の屈折率を変化（上昇）させることにより作成される。なおこの屈折率変化は、コアにドープされている酸化ゲルマニウムが紫外線照射により化学変化を起こすことによって生じると考えられている。
【００９４】
集光レンズ１５３により集光された光ビームＬ１Ｒは、反射型ファイバーグレーティング１５４の端面からコア内に入射し、そこを伝搬する。コアに形成された上記屈折率変化部は、光ビームＬ１Ｒの伝搬方向に沿ったグレーティング（回折格子）を構成している。このグレーティングは、コアを伝搬する光ビームＬ１Ｒのうち、その周期に対応した特定波長の光のみを反射回折させ、半導体レーザ１００にフィードバックさせる。そこで、半導体レーザ１００の発振波長が反射型ファイバーグレーティング１５４の選択波長にロックされる。
【００９５】
次に、図１０を参照して本発明の第８の実施の形態について説明する。この第８の実施の形態の装置の発振波長安定化手段１５０Ａは、半導体レーザ１００から出射した光ビームＬ１を集光する集光レンズ１５５と、ファイバーカップラを構成する第１のファイバー１５６および第２のファイバー１５７とから構成されている。第１のファイバー１５６は前述したような屈折率変化部を有するものであり、第２のファイバー１５７は第１のファイバー１５６に結合されている。
【００９６】
上記第２のファイバー１５７に一端面側から入射してそこを伝搬する光ビームＬ１は、一部が両ファイバー１５６、１５７の結合部分において第１のファイバー１５６の方に移って、二系統に分岐される。第２のファイバー１５７を伝搬してその他端面から出射した光ビームＬ１は、測定光として用いられる。
【００９７】
一方、第１のファイバー１５６に移った光ビームＬ１は、該第１のファイバー１５６を伝搬してその屈折率変化部において反射回折する。反射回折した光ビームＬ１は、集光レンズ１５５を介して半導体レーザ１００にフィードバックされ、半導体レーザ１００の発振波長が第１のファイバー１５６の選択波長にロックされる。
【００９８】
次に、図１１を参照して本発明の第９の実施の形態について説明する。この第９の実施の形態の装置の発振波長安定化手段１５０Ｂは、半導体レーザ１００から出射した光ビームＬ１を集光する集光レンズ１５５と、この集光レンズ１５５による光ビームＬ１の収束位置に一端面が位置するように配された部分反射型ファイバーグレーティング１５８とから構成されている。
【００９９】
部分反射型ファイバーグレーティング１５８は、基本的に前記反射型ファイバーグレーティング１５４と同様のものであり、コアを伝搬する光ビームＬ１のうち、その周期に対応した特定波長の光のみを一部反射回折させ、半導体レーザ１００にフィードバックさせる。そこで、半導体レーザ１００の発振波長が部分反射型ファイバーグレーティング１５８の選択波長にロックされる。
【０１００】
なおこの場合、部分反射型ファイバーグレーティング１５８を透過した光ビームＬ１が、測定光として用いられる。
【０１０１】
次に、図１２を参照して本発明の第１０の実施の形態について説明する。この第１０の実施の形態の装置の発振波長安定化手段１５０Ｃは、半導体レーザ１００から出射した後方出射光Ｌ１Ｑを収束させる集光レンズ１５９と、この集光レンズ１５９による後方出射光Ｌ１Ｑの収束位置に一端面が位置するように配された反射型ファイバーグレーティング１５４とから構成されている。
【０１０２】
この反射型ファイバーグレーティング１５４で反射した後方出射光Ｌ１Ｑは半導体レーザ１００にフィードバックされ、それにより半導体レーザ１００の発振波長が、反射型ファイバーグレーティング１５４の選択波長にロックされる。
【０１０３】
以上、本発明の好ましい実施の形態について説明したが、本発明に用いるセンサは上記に限定されるものではなく、種々の態様に変更することができる。
【０１０４】
例えば、図１３に示すような態様としてもよい。図１３（ａ）はセンサの斜視図、図１３（ｂ）はこのセンサの上面図である。本説明において、上記実施の形態と同じ構成要素には同じ参照符号を付して、説明は省略する。
【０１０５】
図１３に示す如く、このセンサ１０ａは、上記実施の形態と同様、測定光Ｌ１の入射側から、半透過半反射性を有する第１の反射体１１と透光体１２と完全反射性を有する第２の反射体１３とを順次備えたデバイス構造を有する。
【０１０６】
このセンサ１０ａが上記第１の実施の形態と異なる点は、上記実施の形態では第１の反射体１１がパターン形成された金属層であったのに対して、第１の反射体１１が透光体１２の表面に略同一径の複数の金属粒子１１ｃがマトリクス状に規則配列して固着された金属層からなる点である。金属粒子１１ｃの材質は制限なく、上記実施の形態の第１の反射体１１と同様の金属が例示できる。
【０１０７】
第１の反射体１１は反射性金属からなるが、空隙である粒子間隙１１ｄを複数有しているので光透過性を有し、半透過半反射性を有する。金属粒子１１ｃの径及びピッチは測定光Ｌ１の波長よりも小さく設計されており、第１の反射体１１は測定光Ｌ１の波長よりも小さい凹凸構造を有するものとなっているため、第１の反射体１１は、いわゆる電磁メッシュシールド効果により光に対しては半透過半反射性の薄膜として作用する。
【０１０８】
このようなセンサ１０ａを用いても上記実施の形態と同様の効果を得ることができる。
【０１０９】
また、図１４に示すような態様としてもよい。図１４はセンサの斜視図である。本説明において、上記実施の形態と同じ構成要素には同じ参照符号を付して、説明は省略する。
【０１１０】
図１４に示す如く、このセンサ１０ｂは、上記実施の形態と同様、測定光Ｌ１の入射側から、半透過半反射性を有する第１の反射体１１と透光体１２と完全反射性を有する第２の反射体１３とを順次備えたデバイス構造を有する。
【０１１１】
このセンサ１０ｂは上記実施の形態と異なり、透光体１２は被陽極酸化金属体（Ａｌ）の一部を陽極酸化して得られる金属酸化物体（Ａｌ２Ｏ３）からなり、第２の反射体１３は被陽極酸化金属体の非陽極酸化部分（Ａｌ）からなる。第２の反射体１３は完全反射性を有する。
【０１１２】
透光体１２は、第１の反射体１１側から第２の反射体１３側に延びる略ストレートな複数の微細孔１２ａが開孔された透光性微細孔体である。複数の微細孔１２ａは第１の反射体１１側の面において開口し、第２の反射体１３側は閉じられている。透光体１２において、複数の微細孔１２ａは測定光Ｌ１の波長より小さい径及びピッチで略規則的に配列されている。
【０１１３】
第１の反射体１１は透光体１２への金属蒸着等により成膜され、透光体１２の表面形状に沿って形成された金属層からなる。透光体１２の微細孔１２ａの開口箇所には金属が成膜されないので、第１の反射体１１は略中心部に微細孔１１ｆを有する平面視略正六角状の金属体１１ｅが隙間なく配列した形状を呈する。第１の反射体１１の微細孔１１ｆは透光体１２の微細孔１２ａと同じパターンで開孔されるので、微細孔１１ｆは測定光Ｌ１の波長より小さい径及びピッチで略規則的に配列されたものとなる。
【０１１４】
第１の反射体１１は反射性金属からなるが、空隙である微細孔１１ｆを複数有しているので光透過性を有し、半透過半反射性を有する。第１の反射体１１は、略中心部に微細孔１１ｆを有する測定光Ｌ１の波長より小さい大きさの平面視略正六角状の金属体１１ｅが略規則的に配列されたものであるので、測定光Ｌ１の波長よりも小さい凹凸構造を有するものとなっているため、第１の反射体１１は、いわゆる電磁メッシュシールド効果により光に対しては半透過半反射性の薄膜として作用する。
【０１１５】
このようなセンサ１０ｂを用いても上記実施の形態と同様の効果を得ることができる。
【０１１６】
なお、透光体１２の製造に用いる被陽極酸化金属体の主成分としてＡｌのみを挙げたが、陽極酸化可能で生成される金属酸化物が透光性を有するものであれば、任意の金属が使用できる。Ａｌ以外では、Ｔｉ、Ｔａ、Ｈｆ、Ｚｒ、Ｓｉ、Ｉｎ、Ｚｎ等が使用できる。被陽極酸化金属体４０は、陽極酸化可能な金属を２種以上含むものであってもよい。
【０１１７】
また、第２の反射体１３が完全反射性を有する場合について説明したが、被陽極酸化金属体の全体を陽極酸化する、あるいは、被陽極酸化金属体の一部を陽極酸化し、さらに被陽極酸化金属体の非陽極酸化部分及びその近傍部分を除去することで、微細孔１２ａが透光体１２を貫通する透光体１２が得られる。微細孔１２ａが透光体１２を貫通する透光体１２に透光体１２の表面形状に沿って第２の反射体１３を形成すれば、第１の反射体１１と同様に微細孔を有し半透過反射性を有する第２の反射体１３を形成することができる。
【０１１８】
また、図１５に示すような態様としてもよい。図１５はセンサの断面図である。本説明において、上記実施の形態と同じ構成要素には同じ参照符号を付して、説明は省略する。
【０１１９】
図１５に示す如く、このセンサ１０ｃは、上記実施の形態と同様、測定光Ｌ１の入射側から、第１の反射体１１と透光体１２と第２の反射体１３とを順次備えたデバイス構造を有する。このセンサ１０ｃが上記実施の形態と異なる点は、上記実施の形態では第２の反射体１３がベタ金属層からなり完全反射性を有する反射体であったのに対して、第２の反射体１３が第１の反射体１１と同様に、金属細線１３ａが規則的な格子状パターンで形成された金属層からなり半透過半反射性を有する点である。この場合、第１の反射体１１及び第２の反射体１３がいずれも、測定光Ｌ１の波長より小さい凹凸構造を有するので、いずれに試料を接触させても、試料による反射体の平均複素屈折率の変化が高感度に起こる。
【０１２０】
このようなセンサ１０ｃを用いても上記実施の形態と同様の効果を得ることができる。
【０１２１】
さらに上記以外にも、センサにおける第１の反射体１１及び第２の反射体１３の構成やこれらの組合せは本発明の趣旨を逸脱しない範囲内において適宜設計変更できる。例えば、センサ１０、１０ａ、１０ｂ、１０ｃの形態を組み合わせて第１の反射体１１及び第２の反射体１３を構成し、センサを構成することができる。
【０１２２】
また、上記のように第２の反射体１３を半透過半反射性とした場合、センシング装置においては出射光Ｌ２を第２の反射体１３側で検出するように構成してもよい。その場合、試料セル１５の透光性窓１６の位置や出射光検出手段３０の配置等は、出射光Ｌ２の出射位置に合わせて適宜変更すればよい。
【図面の簡単な説明】
【０１２３】
【図１】第１の実施の形態のセンシング装置の構成図
【図２】上記センシング装置のセンサの斜視図（ａ）、図２（ａ）中のＡ−Ａ’線断面図（ｂ）、上記センサから出射される出射光のスペクトル例（ｃ）
【図３】上記センシング装置の測定光照射手段の構成図
【図４】第２の実施の形態のセンシング装置の測定光照射手段の構成図
【図５】第３の実施の形態のセンシング装置の測定光照射手段の構成図
【図６】第４の実施の形態のセンシング装置の測定光照射手段の構成図
【図７】第５の実施の形態のセンシング装置の測定光照射手段の構成図
【図８】第６の実施の形態のセンシング装置の測定光照射手段の構成図
【図９】第７の実施の形態のセンシング装置の測定光照射手段の構成図
【図１０】第８の実施の形態のセンシング装置の測定光照射手段の構成図
【図１１】第９の実施の形態のセンシング装置の測定光照射手段の構成図
【図１２】第１０の実施の形態のセンシング装置の測定光照射手段の構成図
【図１３】本発明のセンシング装置に用いることが可能なセンサの斜視図（ａ）、上面図（ｂ）
【図１４】本発明のセンシング装置に用いることが可能なその他のセンサの斜視図
【図１５】本発明のセンシング装置に用いることが可能なその他のセンサの断面図
【符号の説明】
【０１２４】
１    センシング装置
１０    センサ
１１    第１の反射体
１２    透光体
１３    第２の反射体
１５    試料セル
１６    透光性窓
１７    試料
２０    測定光照射手段
３０    出射光検出手段
４０    データ処理手段
１００    半導体レーザ
１３０、１３０Ａ、１３０Ｂ    発振波長安定化手段
１３１    λ／２板
１３２    ビームスプリッタ
１３３    反射型グレーティング
１３４    部分反射型グレーティング
１３５    コリメーターレンズ
１４０、１４０Ａ、１４０Ｂ    発振波長安定化手段
１４１    狭透過帯域バンドパスフィルタ
１４２    集光レンズ
１４３    ミラー
１４４    集光レンズ
１４５    ハーフミラー
１４６、１４７    コリメーターレンズ
１５０、１５０Ａ、１５０Ｂ、１５０Ｃ    発振波長安定化手段
１５１    ビームスプリッタ
１５２    ミラー
１５３、１５５、１５９    集光レンズ
１５４    反射型ファイバーグレーティング
１５６    第１のファイバー
１５７    第２のファイバー
１５８    部分反射型ファイバーグレーティング
Ｌ１    測定光
Ｌ２    出射光
【図１】
2007101241.tif 000003
【図２】
2007101241.tif 000004
【図３】
2007101241.tif 000005
【図４】
2007101241.tif 000006
【図５】
2007101241.tif 000007
【図６】
2007101241.tif 000008
【図７】
2007101241.tif 000009
【図８】
2007101241.tif 000010
【図９】
2007101241.tif 000011
【図１０】
2007101241.tif 000012
【図１１】
2007101241.tif 000013
【図１２】
2007101241.tif 000014
【図１３】
2007101241.tif 000015
【図１４】
2007101241.tif 000016
【図１５】
2007101241.tif 000017